【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
第一の操作手段と、
第二の操作手段と、
第三の操作手段と、
を備えた遊技台であって、
前記第二の操作手段が振動している状態において、前記第一の操作手段が振動しない場合があり、
前記第二の操作手段は、発光手段を含む操作手段であり、
前記第三の操作手段は、複数の操作部を含む操作手段であり、
複数種類の演出を実行可能であり、
前記複数種類の演出のうちの一の演出は、第一の演出であり、
前記第一の演出は、予告演出であり、
前記第一の演出は、大当りについてのジャッジ演出であり、
前記第一の操作手段の操作に応じて前記第一の演出が開始される場合があり、
前記第一の演出において、前記第二の操作手段が振動し、
前記第一の演出において、前記第三の操作手段は振動せず、
前記第一の演出は、前記第二の操作手段に関する予告演出ではなく、
前記複数種類の演出のうちの一の演出は、第三の演出であり、
前記第三の演出は、予告演出であり、
前記第一の演出の態様と前記第三の演出の態様は異なる態様であり、
前記第一の操作手段の操作に応じて前記第三の演出が開始される場合があり、
前記第三の演出において、前記第二の操作手段が振動せず、
前記第三の演出において、前記第三の操作手段が振動しない、
ことを特徴とする遊技台。
【請求項２】
請求項１に記載の遊技台であって、
前記第一の演出は、前記第一の操作手段に関する予告演出のうちの一の演出であり、
前記第三の演出は、前記第一の操作手段に関する予告演出のうちの、前記第一の演出とは別の一の演出であり、
「前記第一の操作手段に関する予告演出」とは、「前記第一の操作手段の操作を促す表示がなされている状態において該第一の操作手段が操作されると開始される演出」のことである、
ことを特徴とする遊技台。
【請求項３】
請求項１又は２に記載の遊技台であって、
前記複数種類の演出のうちの一の演出は、第二の演出であり、
前記第二の演出は、予告演出であり、
前記第一の演出の態様と前記第二の演出の態様は異なる態様であり、
前記第三の演出の態様と前記第二の演出の態様は異なる態様であり、
前記第二の操作手段の操作に応じて前記第二の演出が開始する、
ことを特徴とする遊技台。
【請求項４】
請求項１乃至３のうちいずれか一項に記載の遊技台であって、
前記第一の演出は、前記第二の操作手段の操作では開始しない演出である、
ことを特徴とする遊技台。
【請求項５】
請求項１乃至４のうちいずれか一項に記載の遊技台であって、
前記第一の演出は、前記第一の操作手段の操作を促す表示がなされない演出である、
ことを特徴とする遊技台。
【請求項６】
請求項１乃至５のうちいずれか一項に記載の遊技台であって、
前記第一の演出は、前記第二の操作手段の操作を促す表示がなされている状態において該第二の操作手段が操作されると開始される演出ではない、
ことを特徴とする遊技台。
【請求項７】
請求項１乃至６のうちいずれか一項に記載の遊技台であって、
前記第三の演出は、前記第一の演出と同時に実行されない演出である、
ことを特徴とする遊技台。
【請求項８】
請求項１乃至７のうちいずれか一項に記載の遊技台であって、
複数種類の報知を実行可能であり、
前記複数種類の報知のうちの一の報知は、第一の報知であり、
前記第一の報知は、前記第一の操作手段の操作を促す報知であり、
前記第一の演出は、第一の期間において前記第一の操作手段が操作されると開始される演出であり、
前記第一の報知は、前記第一の期間において行われる報知である、
ことを特徴とする遊技台。
【請求項９】
請求項１乃至８のうちいずれか一項に記載の遊技台であって、
前記第二の操作手段は、前記第一の演出が実行されている期間の少なくとも一部の期間において振動する手段である、
ことを特徴とする遊技台。
【請求項１０】
請求項１乃至９のうちいずれか一項に記載の遊技台であって、
請求項１に記載の「大当りについてのジャッジ演出」とは、「大当りになることを表すジャッジ結果が報知される演出」のことである、
ことを特徴とする遊技台。
【手続補正２】
【補正対象書類名】明細書
【補正対象項目名】０００３
【補正方法】変更
【補正の内容】
【０００３】
また、こういった遊技台では、操作手段を備えたものが知られている。
【手続補正３】
【補正対象書類名】明細書
【補正対象項目名】０００５
【補正方法】変更
【補正の内容】
【０００５】
しかしながら、従来の遊技台では、操作手段に改良の余地がある。
【手続補正４】
【補正対象書類名】明細書
【補正対象項目名】０００６
【補正方法】変更
【補正の内容】
【０００６】
本発明は上記事情に鑑み、操作手段に特徴を持った遊技台を提供することを目的とする。
【手続補正５】
【補正対象書類名】明細書
【補正対象項目名】０００７
【補正方法】変更
【補正の内容】
【０００７】
上記目的を解決する本発明の遊技台は、
第一の操作手段と、
第二の操作手段と、
第三の操作手段と、
を備えた遊技台であって、
前記第二の操作手段が振動している状態において、前記第一の操作手段が振動しない場合があり、
前記第二の操作手段は、発光手段を含む操作手段であり、
前記第三の操作手段は、複数の操作部を含む操作手段であり、
複数種類の演出を実行可能であり、
前記複数種類の演出のうちの一の演出は、第一の演出であり、
前記第一の演出は、予告演出であり、
前記第一の演出は、大当りについてのジャッジ演出であり、
前記第一の操作手段の操作に応じて前記第一の演出が開始される場合があり、
前記第一の演出において、前記第二の操作手段が振動し、
前記第一の演出において、前記第三の操作手段は振動せず、
前記第一の演出は、前記第二の操作手段に関する予告演出ではなく、
前記複数種類の演出のうちの一の演出は、第三の演出であり、
前記第三の演出は、予告演出であり、
前記第一の演出の態様と前記第三の演出の態様は異なる態様であり、
前記第一の操作手段の操作に応じて前記第三の演出が開始される場合があり、
前記第三の演出において、前記第二の操作手段が振動せず、
前記第三の演出において、前記第三の操作手段が振動しない、
ことを特徴とする。
【手続補正６】
【補正対象書類名】明細書
【補正対象項目名】０００８
【補正方法】変更
【補正の内容】
【０００８】
本発明の遊技台によれば、操作手段に特徴を持った遊技台を実現できる。
【手続補正７】
【補正対象書類名】明細書
【補正対象項目名】２５０３
【補正方法】変更
【補正の内容】
【２５０３】
また、『  前記遊技台は、ぱちんこ機［例えば、パチンコ機１００等］である、
ことを特徴とする遊技台。』
についても説明した。  
また、以上の記載では、
『  第一の操作手段［例えば、透過部１９１、図１３の説明における操作手段Ｂ等］と、
第二の操作手段［例えば、チャンスボタン１３６、図１３の説明における操作手段Ａ等］と、
第三の操作手段［例えば、操作キーユニット１８１（十字キー１８１ａ、ＯＫボタン１８１ｂ、キャンセルボタン１８１ｃ）等］と、
を備えた遊技台であって、
前記第二の操作手段が振動している状態において、前記第一の操作手段が振動しない場合があり［例えば、第二の操作手段が振動している状態において、第一の操作手段が振動したりしなかったりする場合や、図２４（ｍ）〜同図（ｐ）、図２５（ｍ）〜同図（ｒ１）、図２６（ｍ）〜同図（ｒ２）等の第一の操作手段が常に振動しない場合がある等］、
前記第二の操作手段は、発光手段［例えば、チャンスボタンランプ１３８等］を含む操作手段であり、
前記第三の操作手段は、複数の操作部を含む操作手段であり、
複数種類の演出を実行可能であり、
前記複数種類の演出のうちの一の演出は、第一の演出であり、
前記第一の演出は、予告演出［例えば、図２４（ｍ）〜同図（ｑ），図２５（ｍ）〜同図（ｑ），図２６（ｍ）〜同図（ｑ）に示す最終ジャッジ演出等］であり、
前記第一の演出は、大当りについてのジャッジ演出［例えば、図１３（ａ）に示すジャッジ演出、図１３（ｄ）の下方に示す最終ジャッジの演出、図２３（ｍ）〜同図（ｑ），図２４（ｍ）〜同図（ｑ），図２５（ｍ）〜同図（ｑ），図２６（ｍ）〜同図（ｑ）に示す最終ジャッジ演出等］であり、
前記第一の操作手段の操作に応じて前記第一の演出が開始される場合があり、
前記第一の演出において、前記第二の操作手段が振動し［例えば、図１３（ａ）に示すＡ振動、図１３（ｄ）の下方に示す操作手段Ａの振動、図２３（ｍ）〜同図（ｑ），図２４（ｍ）〜同図（ｑ），図２５（ｍ）〜同図（ｑ），図２６（ｍ）〜同図（ｑ）等］、
前記第一の演出において、前記第三の操作手段は振動せず、
前記第一の演出は、前記第二の操作手段に関する予告演出［例えば、チャンスボタン１３６の操作を促す報知やチャンスボタン１３６の操作結果に関する報知が含まれている操作予告演出］ではなく、
前記複数種類の演出のうちの一の演出は、第三の演出であり、
前記第三の演出は、予告演出［例えば、図３１（ｍ’）〜同図（ｑ’）に示すジャッジ演出等］であり、
前記第一の演出の態様と前記第三の演出の態様は異なる態様であり、
前記第一の操作手段の操作に応じて前記第三の演出が開始される場合［例えば、図３１（ｍ’）〜同図（ｑ’）等］があり、
前記第三の演出において、前記第二の操作手段が振動せず［例えば、図３１（ｍ’）〜同図（ｑ’）等］、
前記第三の演出において、前記第三の操作手段が振動しない、
ことを特徴とする遊技台。』
について説明した。
また、『  前記第一の演出は、前記第一の操作手段に関する予告演出のうちの一の演出であり、
前記第三の演出は、前記第一の操作手段に関する予告演出のうちの、前記第一の演出とは別の一の演出であり、
「前記第一の操作手段に関する予告演出」とは、「前記第一の操作手段の操作を促す表示［例えば、透過部表示１９１Ｘ等］がなされている状態において該第一の操作手段が操作されると［例えば、図２３（ｌ）等］開始される演出」のことである、
ことを特徴とする遊技台。』
についても説明した。
また、『  前記複数種類の演出のうちの一の演出は、第二の演出であり、
前記第二の演出は、予告演出［例えば、図１７（ｍ）や図１８（ｍ）に示すジャッジ演出等］であり、
前記第一の演出の態様と前記第二の演出の態様は異なる態様であり、
前記第三の演出の態様と前記第二の演出の態様は異なる態様であり、
前記第二の操作手段の操作［例えば、図１６（ｌ）や図１８（ｌ）に示す押下操作等］に応じて前記第二の演出が開始する、
ことを特徴とする遊技台。』
についても説明した。
また、『  前記第一の演出は、前記第二の操作手段の操作では開始しない演出である［例えば、図２３（ｍ）等］、
ことを特徴とする遊技台。』
についても説明した。
また、『  前記第一の演出は、前記第一の操作手段の操作を促す表示［例えば、操作促進報知の透過部表示１９１Ｘ等］がなされない演出である、
ことを特徴とする遊技台。』
についても説明した。
また、『  前記第一の演出は、前記第二の操作手段の操作を促す表示がなされている状態において該第二の操作手段が操作されると開始される演出ではない、
ことを特徴とする遊技台。』
についても説明した。
また、『  前記第三の演出は、前記第一の演出と同時に実行されない演出である、
ことを特徴とする遊技台。』
についても説明した。
また、『  複数種類の報知を実行可能であり、
前記複数種類の報知のうちの一の報知は、第一の報知であり、
前記第一の報知は、前記第一の操作手段の操作を促す報知［例えば、図２３（ｋ）及び同図（ｌ），図２４（ｋ）及び同図（ｌ），図２５（ｋ）〜同図（ｌ２），図２６（ｋ）及び同図（ｌ）それぞれに示す操作促進報知の透過部表示１９１Ｘ等］であり、
前記第一の演出は、第一の期間［例えば、図２３（ｋ）〜同図（ｌ）の期間、図２４（ｋ）〜同図（ｌ）の期間、図２５（ｋ）〜同図（ｌ２）の期間、図２６（ｍ）〜同図（ｌ）の期間等］において前記第一の操作手段が操作されると開始される演出であり、
前記第一の報知は、前記第一の期間において行われる報知である、
ことを特徴とする遊技台。』
についても説明した。
また、『  前記第二の操作手段は、前記第一の演出が実行されている期間の少なくとも一部の期間［例えば、図２４〜図２５、図２６の例では全期間であり、図２３の例では同図（ｑ）で振動していないので一部の期間等］において振動する手段である、
ことを特徴とする遊技台。』
についても説明した。
また、『  「大当りについてのジャッジ演出」とは、「大当りになることを表すジャッジ結果［例えば、大当りになることが確定である結果等］が報知される演出」のことである、
ことを特徴とする遊技台。』
についても説明した。